(57)【要約】【課題】文字列に含まれる誤り文字列の正確な修正の仕方を、修正者に即時に通知することができ、修正者を育成することができる文字列修正訓練サーバ、方法、プログラム、装置を提供する。【解決手段】文字列および音声を受信側の端末に出力すると共に、文字列を端末のユーザが修正した修正文字データを端末から受信して、修正文字データと予め設定した正解文字列との比較に基づいた集計結果を端末に出力することで、ユーザの文字列修正訓練に供される文字列修正訓練サーバ３であって、正解文字列記録手段９ｄと、音声・文字列出力部７と、修正文字データ受信手段９ａと、修正文字正解文字比較手段９ｃと、集計結果生成手段９ｅと、集計結果出力手段９ｆと、を備えた。【選択図】      図１
2004240234.tif 000002
【特許請求の範囲】
【請求項１】
音声認識装置の認識対象を模擬した音声と文字列を、受信側の端末に出力すると共に、前記文字列に対して前記端末のユーザが修正した修正文字データを前記端末から受信して、前記修正文字データと予め設定した正解文字列との比較に基づいた集計結果を前記端末に出力することで、前記ユーザの文字列修正訓練に供される文字列修正訓練サーバであって、
前記正解文字列を記録している正解文字列記録手段と、
前記文字列および前記音声を前記端末に出力する音声文字列出力手段と、
前記修正文字データを前記端末から受信する修正文字データ受信手段と、
この修正文字データ受信手段で受信した修正文字データと前記正解文字列記録手段に記録されている前記正解文字列とを比較する修正文字正解文字比較手段と、
この修正文字正解文字比較手段による比較結果に基づいて、前記集計結果を生成する集計結果生成手段と、
この集計結果生成手段で生成された集計結果を前記端末毎に出力する集計結果出力手段と、
を備えることを特徴とする文字列修正訓練サーバ。
【請求項２】
前記正解文字列記録手段は、前記文字列を修正する前記ユーザのスキルに基づいて設定した修正重要度に対応した複数の前記正解文字列を記録していることを特徴とする請求項１に記載の文字列修正訓練サーバ。
【請求項３】
前記文字列が前記端末に表示されてから、前記文字列に含まれる誤り箇所が指摘されるまでの誤り箇所指摘時間、
前記誤り箇所が修正された修正誤り文字列とされるまでの修正単位処理時間、
前記文字列が前記端末に表示されてから、修正されて前記修正誤り文字列とされ、前記修正文字データとして前記端末から出力されるまでの文字列修正時間、および、
前記文字列毎に前記文字列修正時間の平均を取った平均文字列修正時間、の少なくとも一つを取得する時間情報取得手段を備えることを特徴とする請求項１または請求項２に記載の文字列修正訓練サーバ。
【請求項４】
前記端末に表示された前記文字列の表示時間が、前記時間情報取得手段で取得され当該表示時間が所定時間経過した場合に、当該文字列を前記正解文字列に置き換える擬似修正手段を備えることを特徴とする請求項３に記載の文字列修正訓練サーバ。
【請求項５】
前記集計結果生成手段は、前記正解文字列を含めた集計結果を生成し、当該正解文字列に、
前記修正文字データに不要な文字が含まれていた場合に、挿入誤り情報を含めること、
前記正解文字列に対して前記修正文字データの中で別の文字に置き換わっていた場合に、置換誤り情報を含めること、および、
前記修正文字データの中に必要な文字が欠けていた場合に、削除誤り情報を含めることを特徴とする請求項１から請求項４のいずれか一項に記載の文字列修正訓練サーバ。
【請求項６】
前記音声および前記文字列が前記端末にて出力される際の前記音声の出力速度と前記文字列の出力速度との少なくとも一方の出力速度を設定すると共に、前記音声を出力する出力タイミングと、前記文字列を出力する出力タイミングとの時間差を設定する音声文字列出力設定手段を備えることを特徴とする請求項１から請求項５のいずれか一項に記載の文字列修正訓練サーバ。
【請求項７】
前記集計結果をグラフとして表示する表示出力手段を備えることを特徴とする請求項１から請求項６のいずれか一項に記載の文字列修正訓練サーバ。
【請求項８】
音声認識装置の認識対象を模擬した音声と文字列を提示すると共に、前記文字列が修正された修正文字データが入力され、前記修正文字データと予め設定した正解文字列との比較に基づいた集計結果を提示することで、文字列修正訓練に供される文字列修正訓練装置であって、
前記正解文字列を記録している正解文字列記録手段と、
前記文字列および前記音声を提示する音声文字列提示手段と、
前記修正文字データを入力する修正文字データ入力手段と、
この修正文字データ入力手段で入力された修正文字データと前記正解文字列記録手段に記録されている前記正解文字列とを比較する修正文字正解文字比較手段と、
この修正文字正解文字比較手段による比較結果に基づいて、前記集計結果を生成する集計結果生成手段と、
この集計結果生成手段で生成された集計結果を提示する集計結果提示手段と、
を備えることを特徴とする文字列修正訓練装置。
【請求項９】
音声認識装置の認識対象を模擬した音声と文字列を視聴して、前記文字列を修正し、この修正した修正文字データと予め設定した正解文字列との比較に基づいた集計結果を参考にして、前記文字列の修正訓練を行う文字列修正訓練方法であって、
前記文字列および前記音声を出力する音声文字列出力ステップと、
前記修正文字データを入力する修正文字データ入力ステップと、
前記修正文字データと前記正解文字列とを比較する修正文字正解文字比較ステップと、
この修正文字正解文字比較ステップにおける比較結果に基づいて、前記集計結果を生成する集計結果生成ステップと、
この集計結果生成ステップにおいて生成された集計結果を出力する集計結果出力ステップと、
を含むことを特徴とする文字列修正訓練方法。
【請求項１０】
音声認識装置の認識対象を模擬した音声と文字列を受信側の端末に出力すると共に、前記文字列に対して前記端末のユーザが修正した修正文字データを前記端末から受信して、前記修正文字データと予め設定した正解文字列との比較に基づいた集計結果を前記端末に出力することで、前記ユーザの文字列修正訓練に供される装置を、
前記文字列および前記音声を前記端末に出力する音声文字列出力手段、
前記修正文字データを前記端末から受信する修正文字データ受信手段、
前記修正文字データと前記正解文字列とを比較する修正文字正解文字比較手段、
この修正文字正解文字比較手段による比較結果に基づいて、前記集計結果を生成する集計結果生成手段、
この集計結果生成手段で生成された集計結果を前記端末毎に出力する集計結果出力手段、
として機能させることを特徴とする文字列修正訓練プログラム。
【発明の詳細な説明】
【０００１】
【発明の属する技術分野】
本発明は、音声を文字列に変換する場合に、変換された文字列に含まれる誤りをリアルタイムに修正する修正作業者を訓練する文字列修正訓練サーバ、文字列修正訓練装置、文字列修正訓練方法および文字列修正訓練プログラムに関する。
【０００２】
【従来の技術】
従来、音声認識装置等によって、音声を文字列（テキストデータ）に変換した際の誤り（誤り文字列、誤りテキストデータ）をリアルタイムに修正するリアルタイム修正に関しては、音声字幕化装置（特許文献１参照）、文字データ修正装置および記憶媒体（特許文献２参照）等が開示されている。
【０００３】
これらの公報で開示されている方法は、アナウンサ等の発声者が発声した音声を音声認識装置で認識して、この認識した認識結果である文字列に含まれている誤り文字列を修正作業者（発見者）がリアルタイムで検出し、検出した誤り文字列を修正作業者（修正者）が修正して（リアルタイム修正）、修正した文字列を字幕放送用のデータとして出力する方法で、誤り文字列の発見と誤り文字列の修正という分業作業によるものである。
【０００４】
また、発見者と修正者とを分けないで、誤り文字列の修正を行う方法として、音声認識装置による音声認識結果のリアルタイム誤り修正装置（本発明と同一の特許出願人より出願）等も提案されている。
【０００５】
ところで、音声を文字化した文字列に含まれる誤りをリアルタイムに修正する誤り修正装置において、当該誤り修正装置を使用する修正者に要求されるスキル、つまり、音声を聴きながら文字列に含まれる誤り文字列をいち早く発見して、素早く正確に正しい文字に修正する能力は、高度で特殊なものである。
【０００６】
しかも、リアルタイム修正において、誤り文字列を正確な文字列に修正する修正率は、修正者の能力に大きく依存している。しかし、現在のところ、効率的に修正者の能力を向上させる育成システム（能力向上システム）は存在しているとは言えず、修正者の能力向上（スキルアップ）すなわち、修正者の育成は、実際の仕事を通じて、つまり、実際に運用されている誤り修正装置を使用して、実際に使用される文字列（書き起こし文字列）を修正すること（実地訓練）で行われている。そして、修正者が修正した文字列を育成トレーナー（修正者を育成する教育係）が集計して、当該修正者に通知する試みが行われているのが現状である。
【０００７】
【特許文献１】
特開２００１−１４２４８２号公報（特許請求の範囲）
【特許文献２】
特開２００１−６０１９２号公報（特許請求の範囲）
【０００８】
【発明が解決しようとする課題】
しかしながら、従来の実際に運用されている誤り修正装置を使用した実地訓練では、修正者が実際に使用される文字列を修正しても、当該文字列に含まれる誤り文字列を自分がどの程度正確に修正できているか、或いは、どのように修正すればよかったのかを知ることができないという問題がある。
【０００９】
そこで、本発明の目的は、前記した従来技術の課題を解消し、文字列に含まれる誤り文字列の正確な修正の仕方を、修正者に即時に通知することができ、修正者を育成することができる文字列修正訓練サーバ、文字列修正訓練装置、文字列修正訓練方法および文字列修正訓練プログラムを提供することにある。
【００１０】
【課題を解決するための手段】
本発明は、前記した目的を達成するため、以下に示す構成とした。
請求項１記載の文字列修正訓練サーバは、音声認識装置の認識対象を模擬した音声と文字列を、受信側の端末に出力すると共に、前記文字列に対して前記端末のユーザが修正した修正文字データを前記端末から受信して、前記修正文字データと予め設定した正解文字列との比較に基づいた集計結果を前記端末に出力することで、前記ユーザの文字列修正訓練に供される文字列修正訓練サーバであって、前記正解文字列を記録している正解文字列記録手段と、前記文字列および前記音声を前記端末に出力する音声文字列出力手段と、前記修正文字データを前記端末から受信する修正文字データ受信手段と、この修正文字データ受信手段で受信した修正文字データと前記正解文字列記録手段に記録されている前記正解文字列とを比較する修正文字正解文字比較手段と、この修正文字正解文字比較手段による比較結果に基づいて、前記集計結果を生成する集計結果生成手段と、この集計結果生成手段で生成された集計結果を前記端末毎に出力する集計結果出力手段と、を備えることを特徴とする。
【００１１】
かかる構成によれば、音声文字列出力手段で、文字列および音声が、受信側の端末に、関連付けられて出力される。つまり、文字列を識別する識別子と、音声を識別する識別子とが関連付けられて、例えば、同一名の識別子とされて出力される。そして、受信側の端末で生成された修正文字データが修正文字データ受信手段で受信される。すると、この修正文字データ受信手段で受信した修正文字データと、正解文字列記録手段に記録されている正解文字列とが修正文字正解文字比較手段で比較され、この比較された結果に基づいて、集計結果生成手段で、集計結果が生成される。その後、集計結果出力手段で、集計結果が各端末に向けて出力される。なお、この集計結果には、正解文字列が含まれると共に、修正文字データに基づいて、様々な角度から分析された修正者の能力に関する情報が含まれている。
【００１２】
請求項２記載の文字列修正訓練サーバは、請求項１に記載の文字列修正訓練サーバにおいて、前記正解文字列記録手段は、前記文字列を修正する前記ユーザのスキルに基づいて設定した修正重要度に対応した複数の前記正解文字列を記録していることを特徴とする。
【００１３】
かかる構成によれば、正解文字列記録手段には、修正重要度に対応した複数の正解文字列が記録されている。修正重要度とは、文字列に含まれる誤り（誤り文字列）に対応して付された、修正者のスキル（能力）を推測するための基準となるもので、例えば、修正者に必ず修正して欲しい誤りを含む誤り包含文字列に対応する正解文字列の修正重要度は「高」と設定され、修正者に出来れば修正して欲しい誤りを含む誤り包含文字列に対応する正解文字列の修正重要度は「中」と設定され、修正者に余裕があれば修正して欲しい誤りを含む誤り包含文字列に対応する正解文字列の修正重要度は「小」と設定される。そして、集計結果生成手段で比較結果に基づいて、誤り文字列を修正した個数が反映された集計結果が生成される。
【００１４】
請求項３記載の文字列修正訓練サーバは、請求項１または請求項２に記載の文字列修正訓練サーバにおいて、前記文字列が前記端末に表示されてから、前記文字列に含まれる誤り箇所が指摘されるまでの誤り箇所指摘時間、前記誤り箇所が修正された修正誤り文字列とされるまでの修正単位処理時間、前記文字列が前記端末に表示されてから、前記誤り箇所が修正された前記修正誤り文字列とされ、前記修正文字データとして前記端末から出力されるまでの文字列修正時間、および、前記文字列毎に前記文字列修正時間の平均を取った平均文字列修正時間の、少なくとも一つを取得する時間情報取得手段を備えることを特徴とする。
【００１５】
かかる構成によれば、時間情報取得手段で、誤り箇所指摘時間、修正単位処理時間、文字列修正時間、または、平均文字列修正時間のいずれかの時間が取得される。より正確には、これらの時間は、各処理の開始時刻と終了時刻との時間差によって演算されるものである。
【００１６】
請求項４記載の文字列修正訓練サーバは、請求項３に記載の文字列修正訓練サーバにおいて、前記端末に表示された前記文字列の表示時間が、前記時間情報取得手段で取得され当該表示時間が所定時間経過した場合に、当該文字列を前記正解文字列に置き換える擬似修正手段を備えることを特徴とする。
【００１７】
かかる構成によれば、時間情報取得手段で、端末における文字列の表示時間が取得され、この表示時間が所定時間経過した場合には、擬似修正手段で、文字列が正解文字列に置き換えられる。つまり、修正者が文字列を見ていても、誤り箇所を発見できない場合、発見時間オーバーとみなして、正解文字列が表示される。
【００１８】
請求項５記載の文字列修正訓練サーバは、請求項１から請求項４のいずれか一項に記載の文字列修正訓練サーバにおいて、前記集計結果生成手段で、前記正解文字列を含めた集計結果を生成し、当該正解文字列に、前記修正文字データに不要な文字が含まれていた場合に、挿入誤り情報を含めること、前記正解文字列に対して前記修正文字データの中で別の文字に置き換わっていた場合に、置換誤り情報を含めること、および、前記修正文字データの中に必要な文字が欠けていた場合に、削除誤り情報を含めることを特徴とする。
【００１９】
かかる構成によれば、修正文字正解文字比較手段による比較結果に基づいて、つまり、修正文字データ受信手段で受信した修正文字データにおける誤り文字列の修正の正確さにより、集計結果生成手段で生成される集計結果に含める正解文字列に、「挿入誤り情報」、「置換誤り情報」、「削除誤り情報」が含められる。これらの情報は、受信側の端末で表示される際に、表示色が異なるように設定されており、例えば、「挿入誤り情報」は“緑色”、「置換誤り情報」は“赤色”、「削除誤り情報」は“青色”で表示されるように設定されている。
【００２０】
請求項６記載の文字列修正訓練サーバは、請求項１から請求項５のいずれか一項に記載の文字列修正訓練サーバにおいて、前記音声および前記文字列が前記端末にて出力される際の前記音声の出力速度と前記文字列の出力速度との少なくとも一方の出力速度を設定すると共に、前記音声を出力する出力タイミングと、前記文字列を出力する出力タイミングとの時間差を設定する音声文字列出力設定手段を備えることを特徴とする。
【００２１】
かかる構成によれば、音声文字列出力設定手段で、端末で音声および文字列が出力される際の出力速度が設定され、さらに、音声および文字列が出力される出力タイミングの時間差が設定される。つまり、この音声文字列出力設定手段で、修正者のスキルのレベルに応じて、任意に出力速度を変更したり、出力タイミングをずらしたりすることが可能になる。
【００２２】
請求項７記載の文字列修正訓練サーバは、請求項１から請求項６のいずれか一項に記載の文字列修正訓練サーバにおいて、前記集計結果をグラフとして表示する表示出力手段を備えることを特徴とする。
【００２３】
かかる構成によれば、表示出力手段で集計結果がグラフとして表示され、例えば、このグラフで表示された集計結果が集計結果出力手段で各端末に出力される。
【００２４】
請求項８記載の文字列修正訓練装置は、音声認識装置の認識対象を模擬した音声と文字列を提示すると共に、前記文字列が修正された修正文字データが入力され、前記修正文字データと予め設定した正解文字列との比較に基づいた集計結果を提示することで、文字列修正訓練に供される文字列修正訓練装置であって、前記正解文字列を記録している正解文字列記録手段と、前記文字列および前記音声を提示する音声文字列提示手段と、前記修正文字データを入力する修正文字データ入力手段と、この修正文字データ入力手段で入力された修正文字データと前記正解文字列記録手段に記録されている前記正解文字列とを比較する修正文字正解文字比較手段と、この修正文字正解文字比較手段による比較結果に基づいて、前記集計結果を生成する集計結果生成手段と、この集計結果生成手段で生成された集計結果を提示する集計結果提示手段と、を備えることを特徴とする。
【００２５】
かかる構成によれば、音声文字列提示手段で、文字列および音声が出力される。修正文字データ入力手段で入力された修正文字データと、正解文字列記録手段に記録されている正解文字列とが修正文字正解文字比較手段で比較され、この比較された結果に基づいて、集計結果生成手段で、集計結果が生成される。その後、集計結果提示手段で、集計結果が提示される。なお、この集計結果には、正解文字列が含まれると共に、修正文字データに基づいて、様々な角度から分析された修正者の能力に関する情報が含まれている。
【００２６】
請求項９記載の文字列修正訓練方法は、音声認識装置の認識対象を模擬した音声と文字列を視聴して、前記文字列を修正し、この修正した修正文字データと予め設定した正解文字列との比較に基づいた集計結果を参考にして、前記文字列の修正訓練を行う文字列修正訓練方法であって、前記文字列および前記音声を出力する音声文字列出力ステップと、前記修正文字データを入力する修正文字データ入力ステップと、前記修正文字データと前記正解文字列とを比較する修正文字正解文字比較ステップと、この修正文字正解文字比較ステップにおける比較結果に基づいて、前記集計結果を生成する集計結果生成ステップと、この集計結果生成ステップにおいて生成された集計結果を出力する集計結果出力ステップと、を含むことを特徴とする。
【００２７】
この方法によれば、音声文字列出力ステップにおいて、文字列および音声が、関連付けられて出力される。そして、生成された修正文字データが修正文字データ受信ステップにおいて受信される。すると、この修正文字データ受信ステップにおいて受信した修正文字データと正解文字列とが修正文字正解文字比較ステップにおいて、比較され、この比較された結果に基づいて、集計結果生成ステップにおいて、集計結果が生成される。その後、集計結果出力ステップにおいて、集計結果が各端末に向けて出力される。なお、この集計結果には、正解文字列が含まれると共に、修正文字データに基づいて、様々な角度から分析された修正者の能力に関する情報が含まれている。
【００２８】
請求項１０記載の文字列修正訓練プログラムは、音声認識装置の認識対象を模擬した音声と文字列を受信側の端末に出力すると共に、前記文字列を前記端末のユーザが修正した修正文字データを前記端末から受信して、前記修正文字データと予め設定した正解文字列との比較に基づいた集計結果を前記端末に出力することで、前記ユーザの文字列修正訓練に供される装置を、以下に示す手段として機能させることを特徴とする。当該装置を機能させる手段は、前記文字列および前記音声を前記端末に出力する音声文字列出力手段、前記修正文字データを前記端末から受信する修正文字データ受信手段、前記修正文字データと前記正解文字列とを比較する修正文字正解文字比較手段、この修正文字正解文字比較手段による比較結果に基づいて、前記集計結果を生成する集計結果生成手段、この集計結果生成手段で生成された集計結果を前記端末毎に出力する集計結果出力手段、である。
【００２９】
かかる構成によれば、音声文字列出力手段で、文字列および音声が、受信側の端末に、関連付けられて出力される。つまり、文字列を識別する識別子と、音声を識別する識別子とが関連付けられて、例えば、同一名の識別子とされて出力される。そして、受信側の端末で生成された修正文字データが修正文字データ受信手段で受信される。すると、この修正文字データ受信手段で受信した修正文字データと正解文字列とが修正文字正解文字比較手段で比較され、この比較された結果に基づいて、集計結果生成手段で、集計結果が生成される。その後、集計結果出力手段で、集計結果が各端末に向けて出力される。なお、この集計結果には、正解文字列が含まれると共に、修正文字データに基づいて、様々な角度から分析された修正者の能力に関する情報が含まれている。
【００３０】
【発明の実施の形態】
以下、本発明の実施の形態について、図面を参照して詳細に説明する。
この実施の形態の説明では、まず、文字列修正訓練サーバおよび複数の端末（修正端末）を含んでなる文字列修正訓練システムの構成（図１を使用）について説明し、当該システムの動作（図２を使用）を説明する。次に、スタンドアローン型の文字列修正訓練装置の構成（図３を使用）について説明し、当該装置の動作（図４を使用）を説明する。そして、文字列修正訓練装置（修正端末）の具体例（図５を使用）、当該装置（当該端末）における表示画面の表示例（図６を使用）を説明し、集計結果の例（図１０〜図１６を使用）について説明することにする。
【００３１】
（文字列修正訓練システムの構成）
図１は、文字列修正訓練システムのブロック図である。この図１に示すように、文字列修正訓練システム１は、文字列修正訓練サーバ３と、この文字列修正訓練サーバ３にネットワークを介して接続される複数の修正端末５（５ａ、５ｂ、５ｃ・・・）とを備えている。なお、この実施の形態では、特許請求の範囲に記載した文字列は、誤り包含文字列と記載し、誤り箇所は誤り文字列と記載することにする。
【００３２】
この文字列修正訓練システム１は、音声を音声認識装置等によって認識した音声認識結果（或いは、音声認識結果を模擬したもの）であるテキストデータ（以下、誤り包含文字列とする）に含まれる認識誤り（以下、誤り文字列とする）を、いち早く発見し、正確に修正する訓練を修正端末５のユーザ（以下、修正訓練者とする）に行うものである。
【００３３】
つまり、この文字列修正訓練システム１は、音声を修正端末５の音声出力部から出力させると共に、この音声と同期するように、誤り包含文字列を修正端末５の表示画面上に表示させて、誤り包含文字列に含まれる誤り文字列を修正する修正者の能力（発見能力、修正能力）を向上させる訓練を行うものである。
【００３４】
文字列修正訓練サーバ３は、音声と誤り包含文字列とを修正端末５に出力すると共に、修正端末５で入力された修正結果（以下、修正文字データとする）を受信して、この修正文字データに基づいて分析され、集計された結果（以下、集計結果とする）を修正端末５に出力するもので、音声・文字列出力部７と、修正結果集計部９と、擬似修正部１１とを備えている。
【００３５】
なお、これら音声・文字列出力部７、修正結果集計部９、擬似修正部１１は、この実施の形態では、文字列修正訓練サーバ３を構成する各部の態様を取っているが、独立した装置（例えば、別個のサーバ）として、構成してもよい。
【００３６】
音声・文字列出力部７は、音声と誤り包含文字列とを修正端末５に出力するもので、出力速度設定手段７ａと、出題ジャンル設定手段７ｂと、出題レベル設定手段７ｃと、音声・文字列記録手段７ｄとを備えている。なお、この音声・文字列出力部７が特許請求の範囲の請求項に記載した音声文字列出力手段に相当するものである。
【００３７】
また、この音声・文字列出力部７では、音声と誤り包含文字列とが、受信側の修正端末５から出力される際に同期するように、関連付けられて出力される。この実施の形態では、各音声を識別するために音声毎に付加されている音声識別子の識別子名と、各誤り包含文字列を識別するために誤り包含文字列毎に付加されている文字列識別子の識別子名とが一致するように命名されている。
【００３８】
出力速度設定手段７ａは、修正端末５において、音声の発声速度と誤り包含文字列の表示速度とを設定するものである。つまり、この出力速度設定手段７ａは、音声・文字列記録手段７ｄに記録されている音声と誤り包含文字列とを読み出して、音声の発声速度、誤り包含文字列の表示速度それぞれを設定した後、ネットワークを介して、修正端末５に出力するものである。
【００３９】
また、この出力速度設定手段７ａは、音声および誤り包含文字列が修正端末５において出力される出力タイミングの時間差を設定するものである。この出力タイミングの時間差は、誤り包含文字列を修正端末５の表示画面（後記する）に表示させた後、例えば、１０秒後（任意）に、音声を音声出力部１７（後記する）に出力させる場合に設定されるものである。また、逆に、音声を音声出力部１７（後記する）に出力させた後、例えば、２０秒後（任意）に、誤り包含文字列を修正端末５の表示画面（後記する）に表示させる場合に設定されるものである。
【００４０】
つまり、この出力速度設定手段７ａは、修正訓練者のスキルに応じて、音声および誤り包含文字列を修正端末５に出力するタイミングをランダムに設定する、すなわち、修正訓練者が誤り文字列を容易に発見できないように、修正端末５に提示される音声および誤り包含文字列のタイミングを故意にずらして、修正訓練者を撹乱させる効果を奏するものである。なお、この出力速度設定手段７ａが特許請求の範囲の請求項に記載した音声文字列出力設定手段に相当するものである。
【００４１】
出題ジャンル設定手段７ｂは、音声・文字列記録手段７ｄに記録されている音声と誤り包含文字列との複数の組み合わせ（出題：修正端末４の修正訓練者からすれば「出題」といえる）から、ネットワークを介して修正端末５に出力する「出題」のジャンルを設定するものである。この出題ジャンル設定手段７ｂで設定可能（選択可能）な「出題」ジャンルには、“ニュース”、“天気”、“スポーツ”等が挙げられる。これらの「出題」ジャンルは、修正訓練者の嗜好や、文字列修正訓練サーバ３の管理者（出題者といえる）の出題意図（習得して欲しいジャンル）に応じて、適宜選択することが出来るものである。
【００４２】
この「出題」のジャンルに含まれている“スポーツ”は、スポーツ番組を想定した「出題」であり、正確な修正（高い正解率）よりも、スピードを優先させるものである。この「出題」のジャンル“スポーツ”では、誤り包含文字列に含まれている誤り文字列の意味が判読できる程度に修正されない場合、当該誤り文字列を含む部分（一文章）を削除することが正解として設定されており、しかも、設定時間（修正時間）は５秒以内に設定されているものである。
【００４３】
また、「出題」のジャンルに含まれている“ニュース”は、ニュース番組を想定した「出題」であり、スピードよりも正確な修正（高い正解率）を優先させるものである。この「出題」のジャンル“ニュース”では、誤り包含文字列に含まれている誤り文字列がすべて修正されるまで設定時間（修正時間）が確保されており、冗長な文章は必要な情報に要約することが求められるものである。この「出題」のジャンル“ニュース”では、例えば、設定時間（修正時間）は最大で２０秒程度に設定されている。
【００４４】
出題レベル設定手段７ｃは、修正端末５を使用する修正訓練者の能力（発見能力、修正能力）に合わせて、「出題」するレベルを設定するものである。この「出題」レベルは、誤り包含文字列に含まれる“誤りの個数”、“誤りの連続さ”、“紛らわしい誤り”によって設定されるものである。
【００４５】
“誤りの個数”は、文法的に正しく、誤字脱字のない文字列に含まれる「誤った文字列」の数であり、この“誤り個数”が増加すればするほど、修正難易度の高い「出題」といえる。つまり、修正端末５の使用者である修正訓練者にとって、誤り包含文字列が修正端末５に表示されている時間（表示時間、例えば３０秒）内に多数の誤り文字列を発見し、正確に修正するのには、高度な発見能力、修正能力が必要になる。
【００４６】
“誤りの連続さ”は、文法的に正しく、誤字脱字のない文字列に含まれる「誤った文字列の長さ」を示すものであり、この“誤りの連続さ”が長くなればなるほど（誤りが連続していればしているほど）、修正難易度の高い「出題」といえる。例えば、“コンランフォガニストームガ”という誤り包含文字列（正確な文字列は“コロラド川にストームが”）と、“なる補と”という誤り包含文字列（正確な文字列は“なるほど”）とでは、前者“コンランフォガニストームガ”には、“ン”は“ロ”の誤字（認識誤り）、“ンフォ”は“ド”の誤字（認識誤り）、“ワ”の欠如という３個の不連続な誤りが含まれているのに対し、後者“なる補と”には、“補”は“ほ”の誤字（認識誤り）、“と”は“ど”の誤字（認識誤り）という２個の連続誤りが含まれている。この場合、前者の方が修正難易度の高い「出題」であるといえる。
【００４７】
“紛らわしい誤り”は、文法的に正しく、誤字脱字のない文字列に含まれる「紛らわしい文字列の有無」を示すものであり、この“紛らわしい誤り”が一見して誤っていると区別が出来なければ出来ないほど、修正難易度の高い「出題」といえる。例えば、主語に続く助詞、「が」、「は」等の異音同義語等が挙げられる。
【００４８】
また、この出題レベル設定手段７ｃでは、修正訓練者の能力（発見能力、修正能力）に合わせて、設定時間、訓練時間を設定するものである。設定時間は、一組の音声および誤り包含文字列が当該音声・文字列出力部７から出力された後、擬似修正部１１によって、正解文字列（後記する）または擬似正解文字列（後記する）が出力されるまでのタイムリミットを設定したものである。つまり、この設定時間が短ければ短いほど、「出題」レベルは高いことになる。例えば、設定時間が１５秒に設定された場合、修正端末５の使用者である修正訓練者が１５秒以内に修正文字データを出力してこない際には、自動的に正解文字列（後記する）または擬似正解文字列（後記する）が出力されることになる。
【００４９】
訓練時間は、修正訓練が開始されてから修正訓練が終了するまでの総時間を設定したものである。つまり、音声および誤り包含文字列の組み合わせが繰り返し、ネットワークを介して修正端末５に出力され、修正訓練者によって、誤り包含文字列に含まれる誤り文字列が発見され、修正されるすべての時間（一回の訓練時間）である。
【００５０】
さらに、この出題レベル設定手段７ｃでは、修正の優先度を設定することができるものである。修正の優先度は、以下に示す（１）〜（８）の原則に従っている。これらの修正の優先度を設定した場合、集計結果の「採点」に反映され、この「採点」は、修正訓練者にとって、現在の誤り文字列発見能力および修正能力を判定する（参考にする）基準になるものである。
【００５１】
（１）発声されている音声通りに修正する。設定時間（訓練時間）内に修正できない場合は、当該誤り文字列を含む部分（一文章）を削除する。この修正の優先度は次の４段階で評価される（集計結果に反映される）。◎正確に修正する。○正確ではないが意味の通じるように修正する。△全て削除する。×意味が通じない文字列が残っている。
【００５２】
（２）人名、地名、固有名詞、数値等は漢字の表記を含めて正確に修正する。例えば、誤り文字列「愛媛丸」の正解文字列は「えひめ丸」であり、誤り文字列「１０数人」の正解文字列は「十数人」等である。なお、この修正の優先度において、修正訓練者が誤り文字列を修正する際に、正解文字列の漢字が不明な場合は平仮名に修正してもよい。この修正の優先度は次の４段階で評価される（集計結果に反映される）。◎正確な漢字に修正する。○平仮名に修正する。△削除する。×不正確な漢字、不正確な平仮名に修正する。
【００５３】
（３）「ほか」と「他」、「恐れ」と「おそれ」等の表記の違いは所定の規則に統一するように修正する。この実施の形態では、日本放送協会で定められている規則に統一する。
（４）誤り文字列を修正できない場合で、削除された文章の前後の意味が繋がるように修正する。
【００５４】
（５）発声されている音声通りであっても、文章が正確でない場合には、正確な文章になるように修正する。
（６）「ええと」、「あっ」等の無意味な音声を削除するように修正する。
（７）言い間違い、言い淀み等の不正確な部分を削除するように修正する。
【００５５】
（８）「出題」のジャンル“ニュース”の場合、ニュースに必要のない言葉（冗長な文章）等を削除して要約するように修正する。例えば、「今夜はまず」、「次のニュースです」等は削除する。
さらに、（１）〜（８）すべてについて、修正時間（設定時間）内に修正する必要があるかが設定される。なお、この実施の形態では、修正時間（設定時間）はジャンルによって異なっている。
【００５６】
音声・文字列記録手段７ｄは、音声と誤り包含文字列との複数の組み合わせを記録しているものである。この音声・文字列記録手段７ｄで記録されている音声と誤り包含文字列の組み合わせは、「出題」ジャンル毎に、さらに「出題」レベル毎に分けられて記録されている。また、この音声・文字列記録手段７ｄでは、誤り包含文字列の誤り箇所、つまり、誤り文字列の位置（挿入位置）も記録されている。
【００５７】
修正結果集計部９は、修正端末５から送られた修正文字データに基づいて、集計結果を生成して出力するもので、修正文字データ受信手段９ａと、時間情報取得手段９ｂと、修正文字正解文字比較手段９ｃと、正解文字列記録手段９ｄと、集計結果生成手段９ｅと、集計結果出力手段９ｆとを備えている。
【００５８】
修正文字データ受信手段９ａは、修正端末５からネットワークを介して、修正文字データを受信するもので、受信した修正文字データを、各修正端末５を識別する識別子と共に、図示を省略した記憶部に一時的に記憶させるものである。この修正文字データには、誤り包含文字列を修正端末５の使用者である修正訓練者が入力した誤り文字列を修正したテキストデータと、この誤り文字列を発見するまでに要した時間、誤り文字列を修正するまでに要した時間等の時間情報とが含まれている。
【００５９】
時間情報取得手段９ｂは、修正文字データ受信手段９ａで受信した修正文字データに含まれている時間情報を取得するものである。この時間情報は、当該サーバ３から音声および誤り包含文字列を出力後、受信側の修正端末５で誤り包含文字列を表示して、誤りを発見するまでの時間（誤り箇所指摘時間）、発見してから修正するまでの時間（修正単位処理時間）および表示してから修正文字データとして出力するまでの総時間（文字列修正時間）を含むものである。また、この時間情報取得手段９ｂでは、文字列修正時間の平均を取った平均文字列修正時間を算出するものである。なお、誤り文字列が修正されたものを修正誤り文字列とする。
【００６０】
なお、時間情報取得手段９ｂでは、修正端末５の送受信部１３（後記する）で音声および誤り包含文字列を受信した場合に、当該修正端末５から受信確認信号が送信され、この受信確認信号を受信して、その時点から、修正端末５に誤り包含文字列が表示されているとして、表示時間を計測することができる。
【００６１】
修正文字正解文字比較手段９ｃは、修正文字データ受信手段９ａで受信した修正文字データ（主に、修正誤り文字列）と、正解文字列記録手段９ｄに記録されている正解文字列とを比較して、比較結果を集計結果生成手段９ｅに出力するものである。この比較結果には、修正文字データと正解文字列との整合率（修正率）が含まれており、この整合率（修正率）は、誤り包含文字列に含まれる誤り文字列がすべて修正誤り文字列になっていて、正解文字列と完全に一致すれば、整合率（修正率）１００％となるもので、発見できなかった誤り文字列の個数や、修正誤り文字列の正確さ、さらに、設定時間やジャンルによって変化するものである。
【００６２】
正解文字列記録手段９ｄは、予め、音声・文字列記録手段７ｄに記録されている音声に基づいて生成された正解文字列を記録するものである。この正解文字列は、音声・文字列記録手段７ｄに記録されている誤り包含文字列の個数に対応して複数個備えられている。つまり、この正解文字列記録手段９ｄには、音声・文字列出力部７から出力された誤り包含文字列から誤り文字列の部分を削除した、或いは、誤り文字列を正確な文字列である修正誤り文字列に置換した正解文字列が、「出題」ジャンル毎、「出題」レベル毎の“言い回し”の数に対応した個数備えられている。
【００６３】
また、この正解文字列には、修正重要度が付されており、この正解文字列記録手段９ｄには、修正重要度に対応した複数の正解文字列が記録されている。修正重要度とは、誤り包含文字列に含まれる誤り（誤り文字列）に対応して付された、修正者のスキル（能力）を推測するための基準となるもので、例えば、修正者に必ず修正して欲しい誤りを含む誤り包含文字列に対応する正解文字列の修正重要度は「高」と設定されているものである。また、修正者に出来れば修正して欲しい誤りを含む誤り包含文字列に対応する正解文字列の修正重要度は「中」と設定され、修正者に余裕があれば修正して欲しい誤りを含む誤り包含文字列に対応する正解文字列の修正重要度は「小」と設定されているものである。或いは、正解文字列には、言い回しや表記の違いによるものも含まれている。
【００６４】
集計結果生成手段９ｅは、時間情報取得手段９ｂで取得された時間情報、修正文字正解文字比較手段９ｃで比較された比較結果、正解文字列記録手段９ｄに記録されている正解文字列に基づいて、集計結果を生成して、集計結果出力手段９ｆに出力するものである。なお、集計結果生成手段９ｅでは、修正文字正解文字比較手段９ｃの比較結果に基づいて、修正重要度毎に、誤り包含文字列に含まれている誤り文字列を修正した個数が反映された集計結果が生成される。
【００６５】
また、この集計結果生成手段９ｅで生成される集計結果に含める正解文字列には、「挿入誤り情報」、「置換誤り情報」、「削除誤り情報」が含められる。これらの情報は、受信側の端末で表示される際に、表示色が異なるように設定されており、例えば、正解文字列が“黒色”で表示されるのに対し、「挿入誤り情報」は“緑色”、「置換誤り情報」は“赤色”、「削除誤り情報」は“青色”で表示されるように設定されている。
【００６６】
「挿入誤り情報」は、誤り包含文字列を修正した後の修正文字データに、正解文字列の文字数よりも多くの余分な文字列が挿入されていることを示すものであり、例えば、正解文字列「今日は」に対し、修正文字データが「今日には」の場合、「に」が挿入誤り情報となり、この「に」が“緑色”で表示されることになる。
【００６７】
「置換誤り情報」は、誤り包含文字列を修正した後の修正文字データに、正解文字列の文字が誤って置換されてしまっていることを示すものであり、例えば、正解文字列「今日は」に対し、修正文字データが「今日で」の場合、「で」が置換誤り情報となり、この「で」が“赤色”で表示されることになる。
【００６８】
「削除誤り情報」は、誤り包含文字列を修正した後の修正文字データに、正解文字列の文字数よりも少ない文字列であること（必要な文字列が誤って削除されていること）を示すものであり、例えば、正解文字列「今日は」に対し、修正文字データが「今は」の場合、「日」が削除誤り情報となり、この「日」が“青色”で表示されることになる。
【００６９】
この集計結果には、修正箇所（修正誤り文字列）と、整合率（修正率）と、正解文字列と、誤り文字列を発見するまでにかかった時間（誤り文字列指摘時間：より簡潔に記すと発見時間）と、誤り文字列を発見してから修正するまでの時間（修正単位処理時間：より簡潔に記すと修正時間）と、「出題」レベル毎の修正率と、過去のデータとの比較（同一の修正訓練者毎に蓄積されたデータとの比較）と、出題レベル設定手段７ｃで設定された「修正の優先度」に従った「採点」とが含まれている。
【００７０】
また、この集計結果生成手段９ｅには、図示を省略した表示出力手段が備えられており、これらの集計結果は、当該サーバ３の外部（図１中破線で図示）に、グラフ等の形式で直接出力可能であり、これらのグラフ等の詳細な例示は後記する（図１０〜図１６を使用して説明する）。
【００７１】
集計結果出力手段９ｆは、集計結果生成手段９ｅで生成された集計結果を、ネットワークを介して、修正端末５に出力するものである。この集計結果出力手段９ｆでは、当該サーバ３の管理者（出題者）の意向に基づいて、修正文字データ受信手段９ａで修正文字データを受信する度に、集計結果をその都度出力することができると共に、集計結果を一定量（複数個の集計結果）まとめて出力することができるものである。
【００７２】
擬似修正部１１は、修正端末５において、誤り包含文字列の表示時間が所定時間を経過した場合に、誤り包含文字列および正解文字列に基づいて、当該正解文字列に擬似した文字列（擬似正解文字列）を生成し、正解文字列または擬似正解文字列を修正端末５に出力するもので、擬似修正レベル設定手段１１ａと、擬似修正速度設定手段１１ｂとを備えている。なお、この擬似修正部１１が特許請求の範囲の請求項に記載した擬似修正手段に相当するものである。
【００７３】
また、例えば、擬似正解文字列は、誤り包含文字列に含まれていた誤り文字列の一部だけ正しい文字列に置換されており、他の一部は、別の誤り文字列（或いは、そのままの誤り文字列）に置換されているものである。
【００７４】
つまり、この擬似修正部１１は、修正結果集計部９の時間情報取得手段９ｂで取得された時間情報、すなわち、取得された表示時間（この場合、音声・文字出力部７から出力された出力時刻から修正端末５に表示されているとみなす）が所定時間（例えば、３０秒）が経過した場合に正解文字列または擬似正解文字列を出力するものである。
【００７５】
擬似修正レベル設定手段１１ａは、修正端末５に出力する正解文字列または擬似正解文字列のレベルを設定するものである。この場合における正解文字列または擬似正解文字列は、誤り文字列が表示された後、一定時間経過しても修正文字データを出力（送信）してこない場合に出力されるものである。この擬似修正レベル設定手段１１ａで設定されるレベル（レベル数の高いほど、修正難易度は高い）は、誤り包含文字列に含まれる誤り文字列の何パーセントを正解文字列に置き換えるかを定めるもので、例えば、レベル１の場合、修正端末５の表示画面に誤り包含文字列が表示されてから１５秒たったら、すべての誤り文字列を正解文字列に置換し、また、レベル１０の場合、修正端末５の表示画面に誤り包含文字列が表示されてから１０秒たったら、誤り包含文字列に含まれている半数の誤り文字列を正解文字列に置換するといったものである。
【００７６】
擬似修正速度設定手段１１ｂは、修正端末５に出力する正解文字列または擬似正解文字列の出力平均時間を設定するものである。つまり、出力平均時間は、誤り包含文字列に含まれる誤り文字列を、正解文字列または擬似正解文字列に置き換えるまでの平均時間を設定するものである。
【００７７】
修正端末５は、文字列修正訓練サーバ３から出力された音声および誤り包含文字列を受信して、当該音声を聴きながら、当該誤り包含文字列に含まれる誤り文字列を修正後、修正文字データとして文字列修正訓練サーバ３に出力するもので、送受信部１３と、表示部１５と、音声出力部１７と、テキストデータ入力部１９と、音声文字列出力調整部２１とを備えている。なお、この修正端末５が特許請求の範囲の請求項に記載した端末に相当するものである。
【００７８】
送受信部１３は、ネットワークを介して、文字列修正訓練サーバ３の音声・文字列出力部７から出力された音声および誤り包含文字列を受信すると共に、修正文字データを送信するものである。また、この送受信部１３は、修正文字データ送信後、修正結果集計部９から出力された集計結果を受信するものである。
【００７９】
表示部１５は、液晶ディスプレイまたはＣＲＴ等のモニタであり、文字や画像を表示可能な表示画面を有しており、この表示画面に、送受信部１３で受信した誤り包含文字列および集計結果を表示するものである。また、この表示画面は、タッチパネルになっており、修正訓練者が、誤り包含文字列に含まれている誤り文字列を発見した場合には、当該表示画面の該当箇所に指先で触れれば、当該誤り文字列が指摘されたと修正端末５によって認識される。なお、この実施の形態では、表示画面に表示されている誤り包含文字列の一部を触れれば、形態素解析単位で指摘された箇所（文字列）の表示色が変化する構成となっている。
【００８０】
音声出力部１７は、音声を出力するヘッドフォンを有しており、このヘッドフォンに、送受信部１３で受信した音声を出力するものである。なお、この文字列修正訓練システム１で修正訓練者に習得してもらいたい能力（スキル）は、アナウンサ等が発話した音声と、当該音声を音声認識装置（図示せず）で認識した音声認識結果（誤り包含文字列）とをリアルタイムに提示され、この提示された音声と誤り包含文字列とに基づいて、誤り文字列を発見し、修正するものであり、通常、先行して音声を聞き取る必要がある。つまり、修正訓練者は、この音声出力部１７から出力される音声を正確に聞き取る能力が要求されることになる。
【００８１】
テキストデータ入力部１９は、キーボードやマウス等によって構成され、修正訓練者が表示画面に表示されている誤り包含文字列に含まれている誤り文字列を指摘した後で、当該誤り文字列を修正する際に供されるものである。
【００８２】
音声文字列出力調整部２１は、表示部１５に表示される誤り包含文字列の表示速度、音声出力部１７に出力される音声の出力速度を調整するものである。通常、文字列修正訓練サーバ３の出力速度設定手段７ａによって、音声の出力速度、誤り包含文字列の表示速度を一義的に設定されているが、修正訓練者が任意に音声の出力速度または誤り包含文字列の表示速度を増減させて訓練したいときに使用されるものである。なお、この音声文字列出力調整部２１は、例えば、フットペダル状に構成され、当該フットペダルに備えられているスイッチを修正訓練者の足で押下することによって、数段階に出力速度を調整することができると共に、音声の出力を停止したり、誤り包含文字列の表示を停止したりすることができるものである。
【００８３】
また、この修正端末５には、図示を省略した記録部が備えられており、送受信部１３で受信された音声および誤り包含文字列が記録される。
【００８４】
文字列修正訓練システム１の文字列修正訓練サーバ３によれば、音声・文字列出力部７で、音声および誤り包含文字列が、受信側の修正端末５で同期するように、関連付けられて出力される。そして、修正端末５で生成された修正文字データが修正結果修正部９の修正文字データ受信手段９ａで受信される。すると、この修正文字データ受信手段９ａで受信した修正文字データと、正解文字列記録手段９ｄに記録されている正解文字列とが修正文字正解文字比較手段９ｃで比較され、この比較された結果に基づいて、集計結果生成手段９ｅで、集計結果が生成される。その後、集計結果出力手段９ｆで、集計結果が各端末に向けて出力される。この集計結果の中に誤り文字列に含まれる誤り文字列の正確な修正（正解文字列）の仕方が含まれているので、ネットワークを介して修正訓練者に即時に通知することができ、これを通じて、修正訓練者を育成することができる。
【００８５】
また、文字列修正訓練サーバ３の正解文字列記録手段９ｄには、修正重要度に対応した複数の正解文字列が記録されている。そして、集計結果生成手段９ｅで修正文字正解文字比較手段９ｃの比較結果に基づいて、修正重要度毎に、誤り包含文字列に含まれている誤り文字列を修正した個数が反映された集計結果が生成される。このため、修正訓練者は、集計結果を参考にすることで、自身の誤り文字列の発見能力、修正能力を見定めることができる。
【００８６】
また、修正結果集計部９の時間情報取得手段９ｂで、誤り文字列指摘時間、修正単位処理時間、文字列修正時間、または、平均文字列修正時間のいずれかの時間情報が取得される。この時間情報が集計結果に反映されるので、修正訓練者は、この集計結果を参考にすることで、誤り文字列を発見する速さや、誤り文字列を修正する速さを正確に把握することができる。
【００８７】
さらに、修正結果集計部９の時間情報取得手段９ｂで、修正端末５における誤り包含文字列の表示時間が取得され、この表示時間が所定時間経過した場合には、擬似修正部１１で、誤り包含文字列が正解文字列に置き換えられる。つまり、修正訓練者が誤り包含文字列を見ていても、誤り文字列を発見できない場合、発見時間オーバーとみなして、正解文字列が表示されることになり、修正訓練者は、緊張感や他の修正訓練者との競争意識をもって訓練を続けることができ、発見能力や修正能力を向上させることができる。
【００８８】
さらにまた、修正結果集計部９の修正文字正解文字比較手段９ｃによる比較結果に基づいて、つまり、修正文字データ受信手段９ａで受信した修正文字データにおける誤り文字列の修正の正確さにより、集計結果生成手段９ｅで生成される集計結果に含める正解文字列に、「挿入誤り情報」、「置換誤り情報」、「削除誤り情報」が含められる。このため、修正訓練者は集計結果を参照することで、誤り包含文字列に含まれている誤り文字列を、どれだけ正確に修正することができたかを把握することができる。
【００８９】
また、音声・文字列出力部７の出力速度設定手段７ａで、修正端末５で音声および誤り包含文字列が出力される際の出力速度が設定され、さらに、音声および誤り包含文字列が出力される出力タイミングの時間差が設定される。これによって、修正訓練者の発見能力、修正能力（スキルのレベル）に応じて、任意に出力速度を変更したり、出力タイミングをずらしたりすることができる。
【００９０】
さらに、集計結果生成手段９ｅに備えられている表示出力手段（図示せず）で集計結果がグラフとして表示され、或いは、このグラフで表示された集計結果が集計結果出力手段９ｆで各修正端末５に出力されるので、修正訓練者は、このグラフ化され、容易に視認することができる集計結果を参考にすることで、修正訓練に飽きることなく、修正訓練を続行することができ、誤り発見能力や誤り修正能力を向上させることができる。
【００９１】
（文字列修正訓練システムの動作）
次に、図２に示すシーケンスチャートを参照して、文字列修正訓練システム１の動作について説明する（適宜、図１参照）。
【００９２】
まず、文字列修正訓練サーバ３では、音声および誤り包含文字列の出力タイミング、出力速度（表示速度）が音声・文字列出力部７の出力速度設定手段７ａで設定される（Ａ１）。続いて、出題ジャンル設定手段７ｂで音声・文字列出力部７から修正端末５に向け出力される「出題」のジャンルが設定される（Ａ２）。また、同様に、出題レベル設定手段７ｃで音声・文字列出力部７から修正端末５に向け出力される「出題」のレベルが設定される（Ａ３）。
【００９３】
そして、これらの設定に基づいて、音声・文字列記録手段７ｄに記録されている音声および誤り包含文字列の組み合わせが読み出されて、音声・文字列出力部７から出力される（Ａ４）。なお、これらの動作は、文字列修正訓練サーバ３の管理者（出題者）によって、当該サーバ３が操作されることで実行されるものであるが修正訓練者自身で設定してもよい。
【００９４】
すると、修正端末５の送受信部１３で、音声および誤り包含文字列が受信される（Ｂ１）。そして、修正端末５の使用者である修正訓練者によって、テキストデータ入力部１９に備えられているキーボードのキー（例えば、スペースキー）が押下されると、音声が音声出力部１７から出力され、誤り包含文字列が表示部１５の表示画面に表示される（Ｂ２）。
【００９５】
修正訓練者によって誤り包含文字列に含まれている誤り文字列が発見されると、表示部１５の表示画面がタッチされて、誤り文字列（修正箇所）が決定される（Ｂ３）。引き続いて、修正訓練者によって誤り文字列を修正するためのテキストデータがテキストデータ入力部１９で入力される（Ｂ４）。修正訓練者によって、一通り、表示部１５の表示画面に表示されている誤り包含文字列がチェックされる（誤りがないと確認される）と、当該修正訓練者によって、テキストデータ入力部１９に備えられているキーボードのキー（例えば、リターンキー）が押下され、修正文字データが修正端末５から文字列修正訓練サーバ３に出力（送信）される（Ｂ５）。
【００９６】
なお、文字列修正訓練サーバの３から音声・文字列記録手段７ｄに記録されている音声および誤り包含文字列の組み合わせが、所定時間繰り返し読み出されて、音声・文字列出力部７から出力され、修正端末５では、Ｂ１〜Ｂ５の動作が繰り返される。
【００９７】
すると、文字列修正訓練サーバ３では、修正文字データ受信手段９ａで修正端末５から出力された修正文字データが受信される（Ａ５）。続いて、時間情報取得手段９ｂで修正文字データに含まれている時間情報が取得され、この時間情報が集計結果生成手段９ｅに出力される（Ａ６）。また、修正文字データ受信手段９ａで受信された修正文字データが、修正文字正解文字比較手段９ｃで、正解文字列と比較され、この比較された比較結果が集計結果生成手段９ｅに出力される（Ａ７）。
【００９８】
そして、集計結果生成手段９ｅで時間情報と、比較結果と、正解文字列とに基づいて、集計結果が生成され、この集計結果が集計結果出力手段９ｆに出力される（Ａ８）。その後、集計結果出力手段９ｆで、ネットワークを介して、集計結果が各修正端末５（５ａ、５ｂ、５ｃ・・・）に出力される（Ａ９）。
【００９９】
すると、各修正端末５（５ａ、５ｂ、５ｃ・・・）では、集計結果が送受信部１３で受信され（Ｂ６）、この受信された集計結果が表示部１５の表示画面で表示される（Ｂ７）。
【０１００】
（文字列修正訓練装置の構成）
次に、スタンドアローン型の文字列修正訓練装置について、図３を参照して説明する。図３に示すように、文字列修正訓練装置３１は、文字列修正訓練サーバ３の機能と修正端末５の機能とを併せ持って、単体で誤り包含文字列の修正訓練を行えるもので、音声・文字列提示部３３（音声同期文字列提示手段）と、修正結果集計部３５と、擬似修正部３７と、表示部３９（集計結果提示手段）と、音声出力部４１と、テキストデータ入力部４３（修正文字データ入力手段）とを備えている。
【０１０１】
また、修正結果集計部３５は、時間情報計測手段３５ａと、修正文字正解文字比較手段３５ｂと、正解文字列記録手段３５ｃと、集計結果生成手段３５ｄとを備えている。また、音声・文字列提示部３３には、文字列修正訓練サーバ３の音声・文字列出力部７と同様に、出力速度設定手段（図示せず）、出題ジャンル設定手段（図示せず）、出題レベル設定手段（図示せず）が備えられている。
【０１０２】
なお、これらの構成は、実質的に文字列修正訓練サーバ３の構成および修正端末５の構成と同様のものであり、文字列修正訓練サーバ３と修正端末５との間にネットワークを介在させるか否かの差（音声・文字列提示部３３、時間情報計測手段３５ａ等）であるので、詳細な説明は省略する。
【０１０３】
この文字列修正訓練装置３１によれば、音声・文字列提示部３３で、音声および誤り包含文字列が同期するように出力される。テキストデータ入力部４３で入力された修正文字データと、正解文字列記録手段３５ｃに記録されている正解文字列とが修正文字正解文字比較手段３５ｂで比較され、この比較された結果に基づいて、集計結果生成手段３５ｄで、集計結果が生成される。その後、表示部３９で、集計結果が提示される。この集計結果の中に誤り文字列に含まれる誤り文字列の正確な修正（正解文字列）の仕方が含まれており、修正訓練者は、この集計結果を参考にして、修正訓練を行うことで、誤り文字列の発見能力や修正能力を向上させることができる。
【０１０４】
また、修正結果集計部３５の時間情報計測手段３５ａで、誤り文字列指摘時間、修正単位処理時間、文字列修正時間、または、平均文字列修正時間のいずれかの時間が計測される。この時間情報が集計結果に反映されるので、修正訓練者は、この集計結果を参考にすることで、誤り文字列を発見する速さや、誤り文字列を修正する速さを正確に把握することができる。
【０１０５】
さらに、擬似修正部３７で、時間情報計測手段３５ａによって計測された誤り包含文字列の提示時間が所定時間経過した場合には、誤り包含文字列が正解文字列に置き換えられる。つまり、修正者が誤り包含文字列を見ていても、誤り文字列を発見できない場合、発見時間オーバーとみなして、正解文字列が提示されるので、修正訓練者は、緊張感や他の修正訓練者との競争意識をもって訓練を続けることができ、発見能力や修正能力を向上させることができる。
【０１０６】
（文字列修正訓練装置の動作）
次に、図４に示すフローチャートを参照して、文字列修正訓練装置３１の動作を説明する（適宜、図３を参照）。
まず、音声・文字列提示部３３によって、表示部３９に誤り包含文字列が提示される（Ｓ１）。続いて、音声・文字列提示部３３によって、音声出力部４１に音声が出力される（Ｓ２）。
【０１０７】
そして、音声出力部４１に音声が出力された後、出題レベル設定手段（図示せず）で設定された設定時間を越えたかどうかが判断される（Ｓ３）。設定時間を越えていない、つまり、設定時間内であると判断された場合（Ｓ３、Ｎｏ）には、表示部３９に表示されている誤り包含文字列の誤り文字列（修正箇所）が指摘され（Ｓ４）、設定された修正時間内に誤りを修正できたときに、誤り包含文字列に含まれている誤り文字列が修正される（Ｓ５）。
【０１０８】
また、Ｓ３にて、設定時間を越えたと判断された場合（Ｓ３、Ｙｅｓ）には、擬似修正部３７から正解文字列または擬似正解文字列が表示部３９に出力される（Ｓ６）。さらに、表示部３９に表示されている誤り包含文字列の誤り文字列（修正箇所）が指摘され（Ｓ４）、設定された修正時間内に誤りを修正できたときに、誤り包含文字列に含まれている誤り文字列が修正される（Ｓ５）。
【０１０９】
そして、出力レベル設定手段（図示せず）で設定された訓練時間内であるかどうかが判断される（Ｓ７）。訓練時間内である判断された場合（Ｓ７、Ｙｅｓ）、つまり、訓練時間内であれば、Ｓ１に戻って、繰り返し修正訓練が続行される。
【０１１０】
Ｓ７にて、訓練時間内でないと判断された場合（Ｓ７、Ｎｏ）には、修正結果集計部３５の修正文字正解文字比較手段３５ｂで修正文字データと正解文字列とが比較され、比較結果が集計結果生成手段３５ｄに出力される（Ｓ８）。また、時間情報計測手段３５ａで時間が計測され、時間情報として、集計結果生成手段３５ｄに出力される。
【０１１１】
そして、修正結果集計部３５の集計結果生成手段３５ｄで集計結果が生成され（Ｓ９）、集計結果が表示部３９に表示される。その後、別の修正訓練（再び訓練するか）をするかどうかが修正訓練者に問いただされる（表示部３９に質問が表示される）（Ｓ１１）。修正訓練者が再び訓練すると判断した場合（Ｓ１１、Ｙｅｓ）には、Ｓ１に戻って別の修正訓練が開始される。修正訓練者が再び訓練すると判断しなかった場合（Ｓ１１、Ｎｏ）には、文字列修正訓練装置３１の動作が終了される。
【０１１２】
なお、この図４に示すフローチャートを参照した文字列修正訓練装置３１の動作では、説明を割愛したが、擬似修正部３７から出力された擬似正解文字列に含まれる誤り文字列を修正訓練者が発見した場合には、修正可能時間内（約３０秒程度）であれば、当該誤り文字列（修正箇所）を指摘して、修正することは可能である。
【０１１３】
（修正端末（文字列修正訓練装置）の具体例）
次に、修正端末５（文字列修正訓練装置３１）の具体例を、図５に示す概略図を参照して説明する。
図５に示すように、修正訓練者は、耳に音声出力部１７（４１）（この実施の形態では、ヘッドフォンのみ）を付けて、表示部１５（３９）（この実施の形態では、タッチパネル）およびテキストデータ入力部１９（４３）が載置されている机の前にある椅子に腰掛けており、音声文字列出力調整部２１（この実施の形態では、フットペダルのみ）の上に自身の足をのせている。
【０１１４】
表示部１５（３９）の表示画面には、誤り包含文字列が表示されており、音声出力部１７（４１）には、表示画面に表示されている誤り包含文字列に同期した音声が出力されている。そして、この図５では、修正訓練者が、表示画面に表示されている誤り包含文字列に含まれている誤り文字列を右手の一指し指で指摘しているところが示されている。
【０１１５】
この図５からもわかるように、この修正端末５（文字列修正訓練装置３１）では、一人（単独）で、誤り包含文字列の修正訓練を行うことができる。また、誤り包含文字列に含まれている誤り文字列を指摘して修正するまでの時間や、修正文字データと正解文字列との比較結果に基づいて生成された集計結果が修正訓練者にすぐに（その場で）フィードバックされる。これによって、修正訓練者は、誤り文字列発見能力や修正能力を習得することができる。
【０１１６】
（文字列修正訓練装置（修正端末）の表示画面）
次に、修正端末５（文字列修正訓練装置３１）の表示画面に表示される集計結果の一例（表示例）について、図６を参照して説明する。
図６に示したように、この集計結果では、字幕放送に利用され「放送」と名付けられおり、誤り文字列が含まれている誤り包含文字列と正解文字列とが、一文節毎に対応付けられて表示されている。この図６において、数字の“１”、“２”、“３”は文字の誤り数が何個という意味であり、「欠落」、「挿入」、「置換」を示す場合には、所定の「色」によって表現される。
【０１１７】
また、ここで、文字列修正訓練サーバ３の正解文字列記録手段９ｄに記録されている正解文字列について、図７に示す具体例により説明する。正解文字列記録手段９ｄに記録されている正解文字列は、音声認識結果である「認識」と一文節ごとに関連付けられている。このような正解文字列が各文章に複数用意されている。
【０１１８】
さらに、ここで、文字列修正訓練サーバ３の音声・文字列記録手段７ｄに記録されている誤り包含文字列について図８、図９を参照して説明する。この図８は誤り総数に対して、修正できなかった誤りの種類と、その割合とをグラフに示したものであり、図９は、誤り総数に対して、修正できなかった誤りの種類と、その絶対数とを表示したものである。
【０１１９】
（集計結果の例）
次に、図１０〜図１６を使用して、修正結果修正部９から出力される集計結果の例について説明する。
図１０は、集計結果の具体例を示したものであり、図１１〜図１３は、修正前後の認識率の差（棒グラフ）と修正率（折れ線）との訓練日毎結果を示したものであり、図１１、図１２は、個別の結果（個人の結果）を示したものであり、図１３は、グループ全員の結果を示したものである。さらに、図１４は連続して修正作業したときの修正率の変化を示したものであり、図１５は、日付毎の認識率と正解率と修正にかかった時間との誤った種類についての詳細な集計結果を示したものであり、図１６は、修正結果と、比較対象における修正結果と、認識結果との関係を示した集計結果である。
【０１２０】
これらの図１０〜図１６に示したように、様々な角度から修正訓練者の誤り文字列発見能力や修正能力が分析され、修正訓練者は、これらの集計結果を参考にして修正訓練に励むことで、誤り文字列発見能力や修正能力を向上させることができる。
【０１２１】
以上、一実施の形態に基づいて、本発明を説明したが、本発明はこれに限定されるものではない。
例えば、文字列修正訓練サーバ３の各構成の処理を一つずつの過程ととらえた文字列修正訓練方法とみなすことや、文字列修正訓練サーバ３の各構成の処理を汎用的なコンピュータ言語で記述した文字列修正訓練プログラムとみなすことは可能である。これらの場合、文字列修正訓練サーバ３と同様の効果を得ることができる。
【０１２２】
【発明の効果】
請求項１、８、９、１０記載の発明によれば、文字列および音声が出力され、当該文字列が修正された修正文字データと、正解文字列とが比較され、この比較された結果に基づいて、集計結果が生成される。この集計結果には、正解文字列が含まれると共に、修正文字データに基づいて、様々な角度から分析された修正者の能力に関する情報が含まれている。このため、修正結果を参考にして修正訓練することで、修正者に必要な能力を身につけることができ、修正者を育成することができる。
【０１２３】
請求項２記載の発明によれば、修正重要度に対応した複数の正解文字列が記録されており、この修正重要度毎に、誤り包含文字列に含まれている誤り文字列を修正した個数が反映された集計結果が生成される。このため、修正者は、集計結果を参考にすることで、自身の誤り文字列の発見能力、修正能力を見定めることができる。
【０１２４】
請求項３記載の発明によれば、誤り箇所指摘時間、修正単位処理時間、文字列修正時間、または、平均文字列修正時間のいずれかの時間情報が取得される。この時間情報が集計結果に反映されるので、修正者は、この集計結果を参考にすることで、誤り箇所を発見する速さや、誤り箇所を修正する速さを正確に把握することができる。
【０１２５】
請求項４記載の発明によれば、この表示時間が所定時間経過した場合には、文字列が正解文字列に置き換えられる。つまり、修正者が文字列を見ていても、誤り箇所を発見できない場合、発見時間オーバーとみなして、正解文字列が表示されることになり、修正者は、緊張感や他の修正者との競争意識をもって訓練を続けることができ、発見能力や修正能力を向上させることができる。
【０１２６】
請求項５記載の発明によれば、修正文字データにおける誤り文字列の修正の正確さにより、集計結果に含める正解文字列に、「挿入誤り情報」、「置換誤り情報」、「削除誤り情報」が含められる。このため、修正者は集計結果を参照することで、文字列に含まれている誤り箇所を、どれだけ正確に修正することができたかを把握することができる。
【０１２７】
請求項６記載の発明によれば、端末で音声および文字列が出力される際の出力速度が設定され、さらに、音声および文字列が出力される出力タイミングの時間差が設定される。これによって、修正者の発見能力、修正能力（スキルのレベル）に応じて、任意に出力速度を変更したり、出力タイミングをずらしたりすることができる。
【０１２８】
請求項７記載の発明によれば、集計結果がグラフとして表示されるので、修正者は、このグラフ化され、容易に視認することができる集計結果を参考にすることで、修正訓練に飽きることなく、修正訓練を続行することができ、誤り発見能力や誤り修正能力を向上させることができる。
【図面の簡単な説明】
【図１】本発明の一実施の形態である文字列修正訓練システムのブロック図である。
【図２】図１に示した文字列修正訓練システムの動作を説明したシーケンスチャートである。
【図３】本発明の一実施の形態である文字列修正訓練装置のブロック図である。
【図４】図３に示した文字列修正訓練装置の動作を説明したフローチャートである。
【図５】図１に示した修正端末（図３に示した文字列修正訓練装置）の具体例を説明した概略図である。
【図６】図５に示した修正端末の表示画面の表示例を説明した図である。
【図７】図１、図３に示した正解文字列記録手段に記録されている正解文字列の一例を説明した図である。
【図８】図１に示した音声・文字列記録手段に記録されている誤り包含文字列の誤り／誤り総数を示した図である。
【図９】図１に示した音声・文字列記録手段に記録されている誤り包含文字列の誤り／誤り総数を示した図である（図８の続き）。
【図１０】集計結果の修正文字データと正解文字列とを説明した図である。
【図１１】集計結果の個別グラフ（前記）を示した図である。
【図１２】集計結果の個別グラフ（後記）を示した図である。
【図１３】集計結果の修正率を示した図である。
【図１４】修正率と修正後の認識率の平均との差を示した図である。
【図１５】日付毎の認識率と正解率と修正にかかった時間との誤った種類についての詳細な集計結果を示した図である。
【図１６】修正結果と、比較対象における修正結果と、認識結果との関係を説明した図である。
【符号の説明】
１              文字列修正訓練システム
３              文字列修正訓練サーバ
５              修正端末
７              音声・文字列出力部
７ａ            出力速度設定手段
７ｂ            出題ジャンル設定手段
７ｃ            出題レベル設定手段
７ｄ            音声・文字列記録手段
９、３５        修正結果集計部
９ａ            修正文字データ受信手段
９ｂ            時間情報取得手段
９ｃ、３５ｂ    修正文字正解文字比較手段
９ｄ、３５ｃ    正解文字列記録手段
９ｅ、３５ｄ    集計結果生成手段
９ｆ            集計結果出力手段
１１、３７      擬似修正部
１１ａ、３７ａ  擬似修正レベル設定手段
１１ｂ、３７ｂ  擬似修正速度設定手段
１３            送受信部
１５、３９      表示部
１７、４１      音声出力部
１９、４３      テキストデータ入力部
２１            音声文字列出力調整部
３１            文字列修正訓練装置
３３            音声・文字列提示部
３５ａ          時間情報計測手段
【図１】
2004240234.tif 000003
【図２】
2004240234.tif 000004
【図３】
2004240234.tif 000005
【図４】
2004240234.tif 000006
【図５】
2004240234.tif 000007
【図６】
2004240234.tif 000008
【図７】
2004240234.tif 000009
【図８】
2004240234.tif 000010
【図９】
2004240234.tif 000011
【図１０】
2004240234.tif 000012
【図１１】
2004240234.tif 000013
【図１２】
2004240234.tif 000014
【図１３】
2004240234.tif 000015
【図１４】
2004240234.tif 000016
【図１５】
2004240234.tif 000017
【図１６】
2004240234.tif 000018